(57)【特許請求の範囲】
【請求項１】
水晶振動子を支持するためサポータが一対または複数対連結したサポータフレームの片側もしくは両側に沿って設けられたサイドフレームと、前記サイドフレームから垂設された連結フレームと、前記連結フレームからサポータ連結片を介して設けられたサポータとを備え、前記サポータ連結片の先端が他の部分よりも断面積が小さくなるように形成されたサポータフレームを用意し、水晶振動子用気密端子の上に前記サポータフレームを載置する工程と、前記水晶振動子用気密端子の電極端子に前記サポータを接着する工程と、前記サポータフレームから前記サイドフレームを切断する工程と、前記連結フレームを挟持し、前記サポータ連結片に曲げモーメントを繰り返し与えることにより、前記サポータを破断する工程を含むことを特徴とする水晶振動子用気密端子の製造方法。
【発明の詳細な説明】
【０００１】
【発明の属する技術分野】
本発明は、水晶振動子用気密端子の製造方法に関し、特に電極端子にサポータを接着する方法に関する。
【０００２】
【従来の技術】
図５は、従来の水晶振動子用気密端子の断面図である。ベース２に設けられた貫通孔（図示せず）を挿通するように、一対の電極端子４、４が封着ガラス３、３によって封着され、ベース２上方に突出した電極端子４、４の側面に、一対のサポータ５、５が接着された構成となっている。これを使用するには、サポータ５、５間に水晶片６を支持し、ベース２上面にキャップ８を溶接して水晶振動子とする。
【０００３】
電極端子４にサポータ５を接着する方法としては、ベース２に電極端子４、４を封着して水晶振動子用気密端子１を組み立てた後、電極端子４、４の側面に個々のサポータ５、５を溶接することにより行っている。
【０００４】
また、製造効率を上げるため、例えば図６に示すように、複数対のサポータ５、５が連結したサポータフレーム１１を用い、一度に多数の水晶振動子用気密端子にサポータ５、５を抵抗溶接した後、プレス手段によりサポータフレーム１１からサポータ５、５を切断し、個々の水晶振動子用気密端子１に分離するといった方法も知られている。
【０００５】
【発明が解決しようとする課題】
近年、表面実装型の水晶振動子に代表されるように、水晶振動子の低背化への要望が高まっている。図７に表面実装型の水晶振動子用気密端子の一例を示すように、平板状の電極端子４、４はベース２上面に沿って延在し、この電極端子４、４上に平板状のサポータ５、５を溶接することにより低背化を実現している。
【０００６】
この種の水晶振動子用気密端子にサポータを溶接するには、その構造上、先に説明したようなサポータフレームを用いた製造効率の良い方法を採用できない。すなわち、サポータが平板状であり、サポータとベースの間にほとんどスペースがないため、サポータフレームを切断する際に、プレスのダイ（下歯）を入れるスペースがないという理由による。
【０００７】
また、個々のサポータを電極端子に溶接するといった方法では、製造効率が悪いだけでなく、サポータが小さすぎて自動機によるチャッキングが困難であるという不都合や、サポータの位置精度を保つことができず、水晶片の接着位置にずれが生じたり、接着不良が生じたりするなどの不都合がある。
【０００８】
本発明は、上記問題点を解決するためのものであり、表面実装型のような低背型の水晶振動子用気密端子であっても、製造効率よくサポータを接着することができ、かつ電極端子へのサポータ接着の位置精度も良好に保つことのできる水晶振動子用気密端子の製造方法およびこれに用いるサポータフレームを提供することを目的とする。
【０００９】
【課題を解決するための手段】
上記課題を解決するために、本発明における水晶振動子用気密端子の製造方法は、水晶振動子を支持するためサポータが一対または複数対連結したサポータフレームの片側もしくは両側に沿って設けられたサイドフレームと、サイドフレームから垂設された連結フレームと、連結フレームからサポータ連結片を介して設けられたサポータとを備え、サポータ連結片の先端が他の部分よりも断面積が小さくなるように形成されたサポータフレームを用意し、水晶振動子用気密端子の上にサポータフレームを載置する工程と、水晶振動子用気密端子の電極端子にサポータを接着する工程と、サポータフレームからサイドフレームを切断する工程と、連結フレームを挟持し、サポータ連結片に曲げモーメントを繰り返し与えることにより、サポータを破断する工程を含むものである。
【００１１】
この本発明によれば、表面実装型に代表される低背型の水晶振動子用気密端子であっても、製造効率よく電極端子にサポータを接着することができ、かつサポータ接着の位置精度も良好に保つことのできる水晶振動子用気密端子の製造方法を提供することができる。
【００１２】
【発明の実施の形態】
本発明の請求項１に記載の発明は、水晶振動子を支持するためのサポータが一対または複数対連結したサポータフレームを用意し、水晶振動子用気密端子の上にサポータフレームを載置する工程と、水晶振動子用気密端子の電極端子にサポータを接着する工程と、サポータフレームとサポータの連結部に曲げモーメントを繰り返し与えることにより、サポータを破断する工程を含むものである。
【００１３】
これによれば、平板状のサポータを用いた低背型の水晶振動子用気密端子であっても、サポータフレームとサポータの連結部に金属疲労を与えることによりサポータを破断すればよいため、プレス手段を採用する必要がない。このため、製造効率に優れたサポータフレームを用いたサポータ接着方法を採用することができる。
【００１４】
本発明の請求項２に記載の発明は、水晶振動子を支持するためサポータが一対または複数対連結したサポータフレームであって、サポータフレームの片側もしくは両側に沿って形成されたサイドフレームと、サイドフレームから垂設された連結フレームと、連結フレームから延びたサポータ連結片を介して形成されたサポータとを備えたものである。このサポータフレームを用いて同時に一対または複数対のサポータを接着することができるため、サポータの位置合わせおよび溶接における製造効率が向上する。
【００１５】
本発明の請求項３に記載の発明は、請求項２に記載のサポータ連結片の先端が他の部分よりも断面積が小さくなるように形成されたものである。これによれば、サポータ連結片の先端の強度が弱いため、サポータを破断する際に、サポータフレームの他の部分が破断されたり、サポータ自身に応力を与えることがない。
【００１６】
本発明の請求項４に記載の発明は、請求項２および３に記載のサポータフレームを用意し、水晶振動子用気密端子の上にサポータフレームを載置する工程と、水晶振動子用気密端子の電極端子にサポータを接着する工程と、サポータフレームからサイドフレームを切断する工程と、連結フレームを挟持し、サポータ連結片に曲げモーメントを繰り返し与えることにより、サポータを破断する工程を含むものである。この方法によれば、多数の水晶振動子用気密端子を整列治具などにセットし、この上にサポータフレームを載置した状態で、一度に多数のサポータを接着、破断することができる。また、サポータの位置合わせも整列治具上にサポータフレーム位置決めして載置すればよいため、作業性および位置精度に優れる。また、サポータの破断も容易にかつ確実に行うことができる。
【００１７】
以下、本発明の一実施の形態を図面を参照しながら説明する。
（実施の形態１）
図２は本実施の形態により製造した表面実装型の水晶振動子の断面図である。
【００１８】
セラミックからなる環状のベース２の内部空間（図示せず）に、封着ガラス３によって一対の電極端子４、４が封着された構成となっている。電極端子４、４はベース２上面に沿って延在し、封着ガラス３内を通ってベース２下面に沿って延在している。ベース２上面に現れた電極端子４、４の上面には、一対のサポータ５、５が抵抗溶接され、この間に水晶片６が支持されている。ベース２上面に封着された溶接用フランジ７にはキャップ８が溶接されている。
【００１９】
次に、本実施の形態による水晶振動子用気密端子の製造方法について、図１（ａ）〜（ｅ）を用いて説明する。
【００２０】
まず、図１（ａ）に示すような複数対のサポータ５、５が連結した短冊状のサポータフレーム１１を用意する。構成を詳しく説明すると、サポータフレーム１１の両側には、その長手方向に沿って一対のサイドフレーム１２、１２が形成され、この間を連結する連結フレーム１３が複数形成されている。この連結フレーム１３からサポータ連結片１４を介して一対のサポータ５、５が形成されている。サポータ連結片１４の先端は、他の部分よりも断面積が小さくなるように２箇所に分離してサポータ５、５と連結されているため、他の部分よりも強度的に弱く、後工程でサポータを破断する際に、サポータフレームの他の部分が破断されたり、サポータ自身に応力が加わり変形したりすることがない。
【００２１】
本実施の形態では、短冊状のサポータフレームを用いたが、フープ状、あるいは一対のサポータのみが連結したサポータフレームを用意してもかまわない。
【００２２】
次に、図１（ｂ）に示すように、多数の水晶振動子用気密端子１を整列治具９にセットする。水晶振動子用気密端子１には、例えば本出願人が先に出願した特願平７−１０２０７６号公報に開示したような手段により製造したものを用いたが、その構成および製造方法はこれに限定する必要はない。図面に基づいて説明すると、ベース（図示せず）上面は、孔部（図示せず）が設けられた溶接用フランジ７で覆われており、この孔部からは封着ガラス３およびこれに封着された電極端子４、４が露出している。
【００２３】
次に、図１（ｃ）に示すように、上記整列された多数の水晶振動子用気密端子１の上に、図１（ａ）で説明したサポータフレーム１１を載置し、電極端子４、４の上面にサポータ５、５を抵抗溶接する。なお、１５は抵抗溶接跡である。これにより、同時に多数の水晶振動子用気密端子１にサポータ５、５が溶接できるため、サポータ位置合わせおよびサポータ溶接の作業性が向上する。また、位置精度も整列治具およびサポータフレームの間隔によって決定されるため、ばらつきが生ずることがない。
【００２４】
次に、図１（ｄ）に示すように、サポータフレーム１１からサイドフレーム１２、１２をプレス手段により切断する。サポータフレーム１１の幅は、水晶振動子用気密端子の外径よりも大きく形成されているため、サイドフレーム１２、１２のみを確実にプレスをすることができる。
【００２５】
次に、水晶振動子用気密端子１を固定した状態で連結フレーム１３を挟持し、曲げモーメントを繰り返し与えることにより、連結フレーム１３からサポータ５、５を破断し、図１（ｅ）に示すように個々の水晶振動子用気密端子１に分離する。
【００２６】
この後、サポータ５、５間に水晶片（図示せず）を支持し、溶接用フランジ７にキャップ（図示せず）を抵抗溶接して水晶振動子を得ることができる。
【００２７】
図１（ａ）で示したように水晶振動子用気密端子１を整列治具９にセットしたままの状態で、図１（ｄ）で示したようにサポータ５、５を破断し、個々の水晶振動子用気密端子に分離するまでの工程までを行うことができるため、作業性に優れている。また、これらの工程を一連の製造ラインで行うことで、製造効率を一段と向上させることができる。
【００２８】
なお、本実施の形態では、複数対のサポータフレームが連結した状態で、サポータを溶接した後、連結フレームからサポータを破断し、個々のベースに分離する手順で行ったが、先にサポータフレームを一対のサポータが連結した状態に切断した後、サポータを溶接し、連結フレームから破断するといった手順で行っても良い。また、サポータの接着方法も抵抗溶接による方法を例に挙げたが、これに限らず、例えばレーザ溶接などの手段を用いてもよい。
【００２９】
さらに、本実施の形態では、表面実装型の水晶振動子用気密端子を例に挙げて説明したが、これに限ることなく、平板状のサポータを備えた低背型の気密端子であれば同等の効果を得ることができる。
【００３０】
（実施の形態２）
図３（ａ）は、他の実施の形態を示すサポータフレームの上面図である。
【００３１】
サイドフレーム１２は、サポータフレーム１１の片側だけに形成され、ここから連結フレーム１３が垂設されている。これを用いた製造方法は、実施の形態１で説明したのと同じ方法で行うことができるが、サイドフレームの切断が片側だけで済む分製造設備を簡略化することができる。
【００３２】
また、図３（ｂ）に示すように、サイドフレームから直接、サポータ連結片を介してサポータが設けられた形状としても良い。これによれば、サイドフレームを切断する工程を省略することができる。
【００３３】
（実施の形態３）
図１（ａ）で説明したように、サポータを破断する際に、サポータフレームの他の部分が破断されたり、サポータ自身に応力が加わることがないように、サポータ連結片の先端が２つに分離しているが、これに限らず、サポータ連結片の先端の断面積を小さくすることで同等の効果を得ることができる。
【００３４】
具体的には、図４（ａ）に示すように、サポータ連結片１４の先端が先細りの形状となったものや、図４（ｂ）に示すように、サポータ連結片１４の先端にＶ字溝１６を設け、厚みを薄く形成するといった手段を採用することができる。
【００３５】
【発明の効果】
以上説明したように本発明によれば、一対または複数対のサポータが連結したサポータフレームを用いてサポータを溶接することができる。このため、一度に一対または複数対のサポータを溶接することができ、製造効率が向上する。
【００３６】
また、サポータ溶接の位置決めも一度に行うことができ、作業性に優れる。
さらに、サポータ溶接の位置決め精度も良好に保つことができるといった優れた効果を奏することができる。
【図面の簡単な説明】
【図１】本発明の一実施の形態による水晶振動子用気密端子の製造工程図
【図２】本実施の形態により製造した水晶振動子を示す断面図
【図３】（ａ）本実施の他の形態を示すサポータフレームの上面図
（ｂ）本実施のさらに他の実施の形態を示すサポータフレームの上面図
【図４】（ａ）本実施の他の形態を示すサポータフレームの要部拡大上面図
（ｂ）本実施のさらに他の形態を示すサポータフレームの要部拡大側面図
【図５】従来の水晶振動子用気密端子を示す断面図
【図６】従来のサポータフレームを用いたサポータ接着方法を示す説明図
【図７】一般的な表面実装型の水晶振動子用気密端子を示す斜視図
【符号の説明】
１  水晶振動子用気密端子
２  ベース
３  封着ガラス
４  電極端子
５  サポータ
６  水晶片
７  溶接用フランジ
８  キャップ
９  整列治具
１１  サポータフレーム
１２  サイドフレーム
１３  連結フレーム
１４  サポータ連結片
１５  抵抗溶接跡
１６  Ｖ字溝
【図１】
0003692708.tif 000002
【図２】
0003692708.tif 000003
【図３】
0003692708.tif 000004
【図４】
0003692708.tif 000005
【図５】
0003692708.tif 000006
【図６】
0003692708.tif 000007
【図７】
0003692708.tif 000008